(57)【要約】【課題】ＩＣタグと貼付対象物との接着部分に発生した細菌、カビの増殖を抑制することができるＩＣタグ付ラベル及びＩＣタグの貼付構造を提供する。【解決手段】ＩＣタグ付ラベル１を、シート状に形成されたＩＣタグ１０と、ＩＣタグ１０の一方の面部に対して層状に重ねて設けられ、ＩＣタグ１０及び貼付対象物１００を接着するとともに、抗菌性及び抗カビ性の少なくとも一方を有する材料を含む接着剤層２１とを備える構成とした。【選択図】図２
2007065461.tif 000002
【特許請求の範囲】
【請求項１】
シート状に形成されたＩＣタグと、
前記ＩＣタグの一方の面部に対して層状に重ねて設けられ、前記ＩＣタグ及び貼付対象物を接着するとともに、抗菌性及び抗カビ性の少なくとも一方を有する材料を含む接着剤層と
を備えるＩＣタグ付ラベル。
【請求項２】
請求項１に記載のＩＣタグ付ラベルにおいて、
前記接着剤層に含まれる前記材料は、銀ゼオライト系の抗菌、抗カビ剤であること
を特徴とするＩＣタグ付ラベル。
【請求項３】
ＩＣタグを貼付対象物に貼り付けるＩＣタグの貼付構造において、
前記ＩＣタグと、
前記ＩＣタグ及び前記貼付対象物の間に設けられ、前記ＩＣタグ及び前記貼付対象物を接着するとともに、抗菌性及び抗カビ性の少なくとも一方を有する材料を含む接着剤層とを備えること
を特徴とするＩＣタグの貼付構造。
【発明の詳細な説明】
【技術分野】
【０００１】
本発明は、ＩＣタグ付ラベル及びＩＣタグの貼付構造に関するものである。
【背景技術】
【０００２】
ＩＣタグは、ＲＦＩＤ（Radio Frequency Identification）とも称され、個体の識別が可能な情報を保持するＩＣチップを備え、この情報を無線通信によって非接触に読み取りできるようになっている。
このようなＩＣタグを使用したシステムとして、例えば、回転寿司や食堂における会計システムが知られている（例えば、特許文献１、特許文献２参照）。このシステムは、ＩＣタグを皿等の食器に添付するとともに、食器ごとに設定された支払い額に関する情報をＩＣチップに記録し、複数の食器を重ねた状態で読取装置と通信させることによって一括して会計できるものである。
【０００３】
ここで、ＩＣタグを食器に添付して使用する際、ＩＣタグと食器との接着面における細菌、カビの増殖を防止する必要がある。この場合、例えば、インサート成形によってＩＣタグを食器に埋め込めばこのような問題が生じないが、食器が磁器、陶器製である場合には、製作が困難であり、また、ＩＣタグが、例えば、故障した場合等には、その交換が困難である。
また、ＩＣタグは、抗菌剤を含む樹脂材料によって形成されたケースにＩＣチップ等を収容したカード型のものが知られている（例えば、特許文献３参照）。このＩＣタグは、ケースに発生した細菌、カビ等の増殖が抑制されるので、食器に、例えば、両面テープ等によって貼付すれば抗菌、抗カビにおいて効果がある。
しかし、このＩＣタグを食器に対し貼付しても、両面テープに発生する細菌、カビの増殖を抑制することができない。また、このＩＣタグは、カード状に形成されているため、食器の形状が、例えば、曲面等である場合には、タグと食器との間に隙間が形成され、細菌、カビが溜まりやすくなる可能性がある。
【０００４】
【特許文献１】特開平１１−１７８６９４号公報
【特許文献２】特開２００４−１４５４７０号公報
【特許文献３】特開平９−７６６７７号公報
【発明の開示】
【発明が解決しようとする課題】
【０００５】
本発明の課題は、ＩＣタグと貼付対象物との接着部分に発生した細菌、カビが増殖することを抑制できるＩＣタグ付ラベル及びＩＣタグの貼付構造を提供することである。
【課題を解決するための手段】
【０００６】
本発明は、以下のような解決手段により、前記課題を解決する。
請求項１の発明は、シート状に形成されたＩＣタグと、前記ＩＣタグの一方の面部に対して層状に重ねて設けられ、前記ＩＣタグ及び貼付対象物を接着するとともに、抗菌性及び抗カビ性の少なくとも一方を有する材料を含む接着剤層とを備えるＩＣタグ付ラベルである。
【０００７】
請求項２の発明は、請求項１に記載のＩＣタグ付ラベルにおいて、前記接着剤層に含まれる前記材料は、銀ゼオライト系の抗菌、抗カビ剤であることを特徴とするＩＣタグ付ラベルである。
請求項３の発明は、ＩＣタグを貼付対象物に貼り付けるＩＣタグの貼付構造において、前記ＩＣタグと、前記ＩＣタグ及び前記貼付対象物の間に設けられ、前記ＩＣタグ及び前記貼付対象物を接着するとともに、抗菌性及び抗カビ性の少なくとも一方を有する材料を含む接着剤層とを備えることを特徴とするＩＣタグの貼付構造である。
【発明の効果】
【０００８】
以上説明したように、本発明によれば、ＩＣタグ及び貼付対象物を接着する接着剤層が抗菌性又は／及び抗カビ性を有する材料を含んでいるから、ＩＣタグと貼付対象物との接着部分に発生した細菌、カビの増殖を抑制することができる。
また、抗菌性、抗カビ性を有する材料として、人体に対する毒性がほとんど無視できる程度に低い銀ゼオライト系の材料を用いたから、例えば、貼付対象物が食器等の食品を扱うものであっても安全である。
【発明を実施するための最良の形態】
【０００９】
本発明は、ＩＣタグと貼付対象物との接着部分に発生した細菌、カビの増殖を抑制することができるＩＣタグ付ラベル及びＩＣタグの貼付構造を提供するという目的を、ＩＣタグ及び食器を接着する粘着剤層に、銀ゼオライト系の抗菌、抗カビ剤を添加することによって実現する。
【実施例】
【００１０】
以下、図面等を参照して、本発明のＩＣタグ付ラベル及びＩＣタグの貼付構造の実施例をあげて、さらに詳しく説明する。
図１は、実施例のＩＣタグ付ラベル及び食器を示す斜視図である。図２は、図１のＩＣタグ付ラベルの構成を示す断面図である。
実施例のＩＣタグ付ラベル１は、外部に設けられた図示しない通信装置と無線通信を行うシート状のＩＣタグ１０と、貼付対象物である食器１００及びＩＣタグ１０を接着する粘着剤層２１とを有するものである。
【００１１】
図２に示すように、ＩＣタグ付ラベル１は、ＩＣタグ１０、接着部２０、表面シート３０を備えている。
ＩＣタグ１０は、例えば１３．５６ＭＨｚの周波数帯域を用いた電磁誘導方式のものであり、ベースフィルム１１、アンテナ１２、ＩＣチップ１３を備えている。
ベースフィルム１１は、例えばＰＥＴ等の樹脂材料を用いて上方から見た平面形が略円形であるシート状に形成され、柔軟性を有している。
アンテナ１２は、ベースフィルム１１の一方の面部（以下、「回路面部」という）の外周縁部に渦巻状に形成されたループアンテナである。このアンテナ１２は、例えば、アルミ等のエッチング加工等によって、又は、導電性を有するインクを使用した印刷によって形成される。
【００１２】
ＩＣチップ１３は、アンテナ１２と同様にベースフィルム１１の回路面部であって、アンテナ１２の内径側に設けられている。ＩＣチップ１３は、２個の電極を備えており、一方の電極がアンテナ１２の内周側の端部に、他方の電極がアンテナ１２の外周側の端部にそれぞれ接続されている。このＩＣチップ１３は、後述する食器１００の個体の識別を可能にする情報を保持している。
【００１３】
接着部２０は、粘着剤層２１、離型紙２２を備えている。
粘着剤層２１は、粘着剤がベースフィルム１１の回路面部とは反対側の面部（以下、「接着面部」という）の略全面にわたって塗布されることによって形成されている。この粘着剤の種類は、特に限定されないが、例えば、アクリル系やゴム系の粘着剤である。なお、本明細書において、「粘着剤」とは「接着剤」の一種であり、「接着剤」の中には「粘着剤」が含まれるものとする。
離型紙２２は、粘着剤層２１を保護するためのものであり、粘着剤層２１に対して重ねて設けられている。
【００１４】
表面シート３０は、ベースフィルム１１の回路面部の略全面にわたって、層状に重ねて設けられ、コート紙３１、粘着剤層３２を備えている。
コート紙３１は、樹脂材料によってベースフィルム１１と略同じ寸法を有するシート状に形成された合成紙であり、柔軟性及び耐水性を有している。なお、このコート紙３１は、貼付対象物に応じて他の材料によって形成してもよく、貼付対象物が水に濡れることのないものであれば、例えば、紙等であってもよい。
粘着剤層３２は、コート紙３１とベースフィルム１１との間に設けられ、コート紙３１をベースフィルム１１の回路面部の全面にわたって接着するものである。
図２に示すように、ＩＣタグ１０の通信回路であるアンテナ１２及びＩＣチップ１３は、表面シート３１とベースフィルム１１との間に密閉されており、ＩＣタグ付ラベル１０は、防水性を備えている。
また、ＩＣタグ１０のベースフィルム１１及び表面シート３０のコート紙３１は、ともに柔軟性を有しており、ＩＣタグ付ラベル１は、全体的に柔軟性を有している。
【００１５】
上述の接着部２０及び表面シート３０の粘着剤層２１、３２の粘着剤には、銀ゼオライト系の抗菌、抗カビ剤が添加されている。
この銀ゼオライト系の抗菌、抗カビ剤は、本実施例においては、株式会社シナネンゼオミック製の「ゼオミックＸＡＷ１０Ｄ」であり、粘着剤１００重量部に対して１重量部の割合で、粘着剤中において略均一に分布するように添加されている。
また、表面シート３０のコート紙３１にも、同様にゼオミックＸＡＷ１０Ｄ（以下、単に「ゼオミック」という）が添加されている。
【００１６】
以下、ゼオミックの特性について説明する。
ゼオミックは、銀イオンを含む無機系の抗菌、抗カビ剤であり、粉末状やスラリー状の物があり、繊維や樹脂等に混入して使用することができる。
ここで、「抗菌」とは、細菌の増殖を抑制することをいい、「抗カビ」とは、同様にカビの増殖を抑制することをいう。
銀イオンは、抗菌性及び抗カビ性を備えており、ゼオミックは、例えば、大腸菌、腸管出血性大腸菌（Ｏ−１５７）、黄色ブドウ球菌、緑膿菌等の一般細菌、カンディダ菌等の酵母類、黒コウジカビ、青カビ等のカビ類等の増殖を抑制することができる。
また、ゼオミックのＭＩＣ（Minimum Inhibitory Concentration）は、試験菌株が黄色ブドウ球菌である場合には、例えば、２５０ｐｐｍ程度、メチシリン耐性黄色ブドウ球菌（ＭＲＳＡ）である場合には、例えば、２５０〜５００ｐｐｍ程度、緑膿菌である場合には、例えば、１００〜２００ｐｐｍ程度となっている。
【００１７】
ここで、一例として、ゼオミックが添加されたポリエチレン（ＰＥ）フィルムを使用した抗菌性試験の試験データを表１に示す。この試験は、「ＪＩＳ  Ｚ  ２８０１（抗菌加工製品−抗菌性試験方法・抗菌効果）２０００年度版」に規定される試験方法に基づいて行われたものである。検体１は、ゼオミックを含まないＰＥフィルムであり、検体２は、ゼオミックを０．５重量％添加したＰＥフィルムである。
【００１８】
【表１】
2007065461.tif 000003
【００１９】
ここで、「抗菌活性値」とは、無加工品（検体１）の２４時間培養後菌数を抗菌加工品（検体２）の２４時間培養後菌数で除した数の対数値である。上述のＪＩＳ  Ｚ  ２８０１によれば、抗菌活性値は、２．０以上である場合に抗菌作用があると認められるものである。なお、表１中の「＜１０」は、検出せずの意味である。
このゼオミックは、抗菌活性値が黄色ブドウ球菌に対しては、３．７以上、大腸菌に対しては、６．０以上と抗菌機能を備えていることが表１から分かる。
【００２０】
次に、ＩＣタグ付ラベル１の製造方法について説明する。
図３は、ＩＣタグ付ラベル１の製造工程を示す図である。
ＩＣタグ付ラベル１は、まず、ＩＣタグ加工装置２００において、ベースフィルム１１の回路面部にアンテナ１２が形成され、この後にアンテナ１２とＩＣチップ１３とが接合されるとともに、ベースフィルム１１の接着面部に接着剤が塗布されて接着剤層２１が形成される。
次に、ＩＣタグ１０は、ベースフィルム１１の接着面部（粘着剤層２１）が離型紙２２に対して貼り合わされる。この離型紙２２は、帯状に形成されるとともにロール状にして用意されており、その長手方向の一方の端部側から巻き出される。ＩＣタグ１０は、この離型紙２２の長手方向に沿って、複数枚が並べて貼り付けられる。
【００２１】
ＩＣタグ加工装置２００よりも離型紙２２の巻き出し方向の下流側には、ＩＣタグ１０に表面シート３０を貼り付ける装置２０１が設けられている。表面シート３０は、予めコート紙３１のＩＣタグ１０と対向する側の面部に粘着剤層３２が形成されたシール紙であり、離型紙２２とともにＩＣタグ１０を挟み込む。
さらに、これらの装置２００、２０１よりも下流側には、カッター２０２が設けられており、表面シート３０、ＩＣタグ１０のベースフィルム１１、接着部２０の粘着剤層２１を離型紙２２を切り抜くことなく略円形に切り抜く（ハーフカット）。
【００２２】
このＩＣタグ付ラベル１は、食器１００に貼り付けられる際に離型紙２２が取り除かれ、この後にベースフィルム１１の接着面部（粘着剤層２１）が食器１００の底面部に貼付される。
食器１００は、例えば、ＰＥ等の樹脂材料によって形成されたものである。また、この食器１００の原材料である樹脂材料にも、銀ゼオライト系の抗菌、抗カビ剤が添加されている。
この食器１００は、ＩＣタグ付ラベル１のＩＣチップ１３に、例えば、盛り付けられた食品の値段等のデータが記録され、複数の食器１００を同時に読取装置と通信させることにより、会計を一括して行うシステム等に利用される。
【００２３】
以上説明したように、本実施例のＩＣタグ付ラベル１によれば、以下の効果を奏することができる。
（１）ＩＣタグ１０及び食器１００を接着する接着部２０の粘着剤層２１に、抗菌性、抗カビ性を有する銀ゼオライト系の抗菌、抗カビ剤であるゼオミックを添加したから、ＩＣタグ１０と食器１００との接着界面に発生した細菌、カビが増殖することを防止できる。
（２）表面シートのコート紙３１、ＩＣタグ１０とコート紙３１とを接着する粘着剤層３２にもゼオミックを添加したから、ＩＣタグ１０自体に発生した細菌、カビが増殖することを防止できる。
（３）ＩＣタグ付ラベル１は、柔軟性を有しているから、例えば、貼付対象物の食器１００の底面部が曲面等であっても、この曲面に追従して変形可能であり、接着性が良好である。
（４）ＩＣタグ１０の通信回路である、アンテナ１２及びＩＣチップ１３を表面シート３０及びベースフィルム１１の間に密閉したから、ＩＣタグ付ラベル１０が貼付された食器を洗浄しても、ＩＣタグ１０の通信回路に洗浄水が浸透することを防止できる。
【００２４】
（変形例）
以上説明した実施例に限定されることなく、種々の変形や変更が可能であって、それらも本発明の均等の範囲内である。
（１）実施例において、粘着剤に添加される抗菌性、抗カビ性を有する材料（抗菌、抗カビ剤）は、銀系の抗菌、抗カビ剤であったが、これに限らず、他の抗菌、抗カビ剤を粘着剤に添加してもよい。この場合、抗菌、抗カビ剤は、有機系、天然系、無機系を問わないが、ＩＣタグが貼り付けられる貼付対象物の用途に応じて決定するとよい。例えば、貼付対象物が食器等の食品を扱うものでない場合には、亜鉛系や銅系のものであってもよい。
（２）実施例において、ＩＣタグは、予め粘着剤層が設けられたＩＣタグ付ラベルであったが、例えば、粘着剤層を有しないＩＣタグを、抗菌、抗カビ剤が添加されたゲル状の接着剤等によって貼付対象物に貼付してもよく、また、抗菌、抗カビ剤が添加された粘着剤層を有する両面テープによって貼付対象物に貼付してもよい。
（３）実施例において、ＩＣタグの貼付対象物は、食器であったが、貼付対象物は、これに限らず、例えば、食品搬送用のケースであってもよく、このケースを形成する原材料に抗菌、抗カビ剤を添加してもよい。
【図面の簡単な説明】
【００２５】
【図１】実施例のＩＣタグ付ラベル及び食器を示す斜視図である。
【図２】図１のＩＣタグ付ラベルの構成を示す断面図である。
【図３】ＩＣタグ付ラベルの製造工程を示す図である。
【符号の説明】
【００２６】
１  ＩＣタグ付ラベル
１０  ＩＣタグ
２０  接着部
２１  粘着剤層
２２  離型紙
３０  表面シート
１００  食器
【図１】
2007065461.tif 000004
【図２】
2007065461.tif 000005
【図３】
2007065461.tif 000006